【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
暗号化及び誤り訂正符号化されたデジタルデータ、前記暗号化及び誤り訂正符号化されたデジタルデータのための暗号化された鍵情報が記録された情報記録媒体から、前記暗号化及び誤り訂正符号化されたデジタルデータを復調する第１の復調手段と、
前記第１の復調手段により復調された前記暗号化及び誤り訂正符号化されたデジタルデータに誤り訂正処理を行なうことにより暗号化されたデジタルデータを得る暗号化デジタルデータ獲得手段と、
前記暗号化デジタルデータ獲得手段による誤り訂正処理により得られる前記暗号化及び誤り訂正符号化されたデジタルデータにおける誤り位置及び誤りシンボル値を検出する検出手段と、
前記検出手段により検出された誤り位置及び誤りシンボル値に基づいて、前記暗号化及び誤り訂正符号化されたデジタルデータに前記暗号化及び誤り訂正符号化されたデジタルデータの一部と入れ替えて記録され、オリジナルか否かを示す識別情報を検出する識別情報検出手段と、
前記識別情報検出手段により検出された識別情報に基づいて、コピーを防止するか否かを決定する決定手段と、
前記決定手段による決定結果に基づいて、前記情報記録媒体のコピーを防止するコピー防止手段と
を具備することを特徴とするコピー防止装置。
【請求項２】
前記情報記録媒体から前記鍵情報を復号する第１の復号手段と、
前記第１の復号手段により復号された鍵情報に基づいて、前記暗号化デジタルデータ獲得手段によって獲得された暗号化されたデジタルデータからデジタルデータを復号する第２の復号手段と、
前記第２の復号手段により復号されたデジタルデータを再生する再生手段と
をさらに具備することを特徴とする請求項１記載のコピー防止装置。
【請求項３】
前記決定手段は、決定結果を示す制御信号を暗号化して出力し、前記コピー防止手段は、前記制御信号を復号し、この復号された制御信号に基づいてコピーを防止することを特徴とする請求項１記載のコピー防止装置。
【請求項４】
前記識別情報は、誤り訂正符号化された後のデジタルデータのうち、所定のシンボルと置き換えられることを特徴とする請求項１記載のコピー防止装置。
【請求項５】
前記決定手段は、
決定結果を示す制御信号を乱数を使用して所定の演算を行うことにより第１の制御信号に変換する第１の変換手段と、
前記第１の変換手段により変換された第１の制御信号を暗号化する第１の暗号化手段と、
前記乱数を暗号化する第２の暗号化手段とを具備し、
前記コピー防止手段は、
前記第１の暗号化手段により暗号化された第１の制御信号を復号する第１の復号手段と、
前記第２の暗号化手段により暗号化された乱数を復号する第２の復号手段と、
前記第１の復号手段により復号された第１の制御信号を、前記第２の復号手段により復号された乱数を使用して前記所定の演算を行うことにより、前記制御信号に変換する第２の変換手段と、
前記第２の変換手段により変換された制御信号に基づいてコピーを防止する手段とを具備することを特徴とする請求項１記載のコピー防止装置。
【請求項６】
暗号化及び積符号により誤り訂正符号化されたデジタルデータ、前記暗号化及び積符号により誤り訂正符号化されたデジタルデータのための暗号化された鍵情報が記録された情報記録媒体から、前記暗号化及び積符号により誤り訂正符号化されたデジタルデータを復調する第１の復調手段と、
前記第１の復調手段により復調された前記暗号化及び積符号により誤り訂正符号化されたデジタルデータに外符号の誤り訂正処理を行なうことにより暗号化及び内符号により誤り訂正符号化されたデジタルデータを獲得する第１の獲得手段と、
前記第１の獲得手段による誤り訂正処理において得られる前記暗号化及び内符号により誤り訂正符号化されたデジタルデータにおける誤り位置及び誤りシンボル値を検出する検出手段と、
前記検出手段により検出された誤り位置及び誤りシンボル値に基づいて、前記暗号化及び内符号により誤り訂正符号化されたデジタルデータに前記暗号化及び内符号により誤り訂正符号化されたデジタルデータの一部と入れ替えて記録され、オリジナルか否かを示す識別情報を検出する識別情報検出手段と、
前記識別情報検出手段により検出された識別情報に基づいて、コピーを防止するか否かを決定する決定手段と、
前記決定手段による決定結果に基づいて、前記情報記録媒体のコピーを防止するコピー防止手段と
を具備することを特徴とするコピー防止装置。
【請求項７】
暗号化及び積符号により誤り訂正符号化されたデジタルデータ、前記暗号化及び積符号により誤り訂正符号化されたデジタルデータのための暗号化された鍵情報が記録された情報記録媒体から、前記暗号化及び積符号により誤り訂正符号化されたデジタルデータを復調する第１の復調手段と、
前記第１の復調手段により復調された前記暗号化及び積符号により誤り訂正符号化されたデジタルデータに外符号の誤り訂正処理を行なうことにより暗号化及び内符号により誤り訂正符号化されたデジタルデータを獲得する第１の獲得手段と、
前記第１の獲得手段による誤り訂正処理により得られる暗号化及び内符号により誤り訂正符号化されたデジタルデータにおける第１の誤り位置及び第１の誤りシンボル値を検出する第１の検出手段と、
前記第１の獲得手段により得られた前記暗号化及び内符号により誤り訂正符号化されたデジタルデータに内符号による誤り訂正処理を行なうことにより暗号化されたデジタルデータを得る第２の獲得手段と、
前記第２の獲得手段による誤り訂正処理により得られる暗号化されたデジタルデータにおける第２の誤り位置及び第２の誤りシンボル値を検出する第２の検出手段と、
前記第１の検出手段により検出された第１の誤り位置及び第１の誤りシンボル値、前記第２の検出手段により検出された第２の誤り位置及び第２の誤りシンボル値に基づいて、前記暗号化及び誤り訂正符号化されたデジタルデータに前記暗号化及び積符号により誤り訂正符号化されたデジタルデータの一部と入れ替えて記録され、オリジナルか否かを示す識別情報を検出する識別情報検出手段と、
前記識別情報検出手段により検出された識別情報に基づいて、コピーを防止するか否かを決定する決定手段と、
前記決定手段による決定結果に基づいて、前記情報記録媒体のコピーを防止するコピー防止手段と
を具備することを特徴とするコピー防止装置。
【請求項８】
暗号化及び積符号により誤り訂正符号化されたデジタルデータ、前記暗号化及び積符号により誤り訂正符号化されたデジタルデータのための暗号化された鍵情報が記録された情報記録媒体から、前記暗号化及び積符号により誤り訂正符号化されたデジタルデータを復調する第１の復調手段と、
前記暗号化及び積符号により誤り訂正符号化されたデジタルデータに前記暗号化及び積符号により誤り訂正符号化されたデジタルデータの一部と入れ替えて記録され、オリジナルか否かを示す識別情報のパターンに基づいて、前記第１の復調手段により復調された前記暗号化及び積符号により誤り訂正符号化されたデジタルデータにおける識別情報を検出する識別情報検出手段と、
前記識別情報検出手段により検出された識別情報に基づいて、コピーを防止するか否かを決定する決定手段と、
前記決定手段による決定結果に基づいて、前記情報記録媒体のコピーを防止するコピー防止手段と
を具備することを特徴とするコピー防止装置。
【請求項９】
暗号化及び誤り訂正符号化されたデジタルデータ、前記暗号化及び誤り訂正符号化されたデジタルデータのための暗号化された鍵情報が記録された情報記録媒体から、前記暗号化及び誤り訂正符号化されたデジタルデータを復調する第１の復調手段と、
前記第１の復調手段により復調された前記暗号化及び誤り訂正符号化されたデジタルデータに誤り訂正処理を行なうことにより暗号化されたデジタルデータを得る暗号化デジタルデータ獲得手段と、
前記暗号化デジタルデータ獲得手段による誤り訂正処理により得られる前記暗号化及び誤り訂正符号化されたデジタルデータにおける誤り位置及び誤りシンボル値を検出する検出手段と、
前記暗号化デジタルデータ獲得手段により得られた暗号化されたデジタルデータを復号することによりデジタルデータを得る復号手段と、
前記復号手段により得られたデジタルデータに透かし情報として埋め込まれた識別情報の位置情報を抽出する抽出手段と、
前記検出手段により検出された誤り位置及び誤りシンボル値、前記抽出手段により抽出された識別情報の位置情報に基づいて、前記暗号化及び誤り訂正符号化されたデジタルデータに前記暗号化及び誤り訂正符号化されたデジタルデータの一部と入れ替えて記録され、オリジナルか否かを示す識別情報を検出する識別情報検出手段と、
前記識別情報検出手段により検出された識別情報に基づいて、コピーを防止するか否かを決定する決定手段と、
前記決定手段による決定結果に基づいて、コピーを防止するコピー防止手段と
を具備することを特徴とするコピー防止装置。
【請求項１０】
暗号化及び誤り訂正符号化されたデジタルデータ、前記暗号化及び誤り訂正符号化されたデジタルデータのための暗号化された鍵情報が記録された情報記録媒体から、前記暗号化及び誤り訂正符号化されたデジタルデータを復調する第１の復調手段と、
前記第１の復調手段により復調された前記暗号化及び誤り訂正符号化されたデジタルデータに誤り訂正処理を行なうことにより暗号化されたデジタルデータを得る暗号化デジタルデータ獲得手段と、
前記暗号化デジタルデータ獲得手段による誤り訂正処理により得られる前記暗号化及び誤り訂正符号化されたデジタルデータにおける誤り位置及び誤りシンボル値を検出する検出手段と、
前記情報記録媒体に格納された暗号化された鍵情報を圧縮する圧縮手段と、
前記圧縮手段により圧縮された鍵情報、前記検出手段により検出された誤り位置及び誤りシンボル値に基づいて、識別情報を抽出する抽出手段と、
前記抽出手段により抽出された識別情報に基づいて、コピーを防止するか否かを決定する決定手段と、
前記決定手段による決定結果に基づいて、コピーを防止するコピー防止手段と
を具備することを特徴とするコピー防止装置。